(57)【要約】【課題】換気装置枠体にルーバーを取り付け易い構造とし、取り付け時のルーバーと化粧板の間の隙間を防止することを目的とする。【解決手段】内部に通風路３を有する枠体２と、この枠体２の前面開口に着脱自在に設けられるルーバーとを備え、前記枠体の前面開口縁部に内部へ折曲した折曲片を設けるとともに、前記ルーバーの裏面の前記折曲片に対向する位置に弾性材からなる係止片を設け、前記係止片は前記折曲片の先端部が当接する案内部と、この案内部に連続する頂部を備え、前記ルーバー裏面の枠体前面開口縁部の当接する箇所にパッキンを備えた構成とする。【選択図】図２
2005090876.tif 000002
【特許請求の範囲】
【請求項１】
一方に引っ掛け固定機構を設け、他方に係止片を設けたもので、この係止片は先端部が当接する案内部と、この案内部に連続する頂部を備えて形成され、弾性変形するとともに、被取り付け部が前記案内部から頂部へ案内され、前記頂部を乗り越えると、前記引っ掛け固定機構との間で押圧挟持されて取り付けられるルーバー取り付け装置。
【請求項２】
枠体と、この枠体の前面開口に着脱自在に設けられるルーバーとを備え、前記枠体の前面開口縁部に内部へ折曲した折曲片と折曲片に対向する辺に引っ掛け固定機構を設けるとともに、前記ルーバーの裏面の前記折曲片に対向する位置に弾性材からなる係止片を設け、前記係止片は前記折曲片の先端部が当接する案内部と、この案内部に連続する頂部を備えて形成され、前記ルーバーを開口部正面から前記枠体へ押しつけることにより、前記係止片が弾性変形するとともに、前記折曲片の先端部が前記係止片の案内部から頂部へ案内され、前記頂部を乗り越えると前記折曲片がルーバーの裏面と係止片の間に挟持されて、前記ルーバーが取り付けられるルーバー取り付け装置。
【請求項３】
請求項１または２記載のルーバ取り付け装置を備えた換気装置であって、上部は天井、側部は壁または吊り戸棚等で囲まれる場所に設置される換気装置。
【請求項４】
ルーバー裏面の枠体前面開口縁部の当接する箇所に、パッキンを設け、前記ルーバーを取り付ける際に、前記ルーバーを前記枠体に押しつけると前記係止片が弾性変形するとともに前記パッキンが圧縮されてルーバーが枠体に取り付けられ、ルーバー取り付け後は係止片の弾性力とパッキンの復元力でルーバーと枠体の間の隙間をなくす請求項１または２記載のルーバー取り付け装置または請求項３記載の換気装置。
【請求項５】
壁または吊戸棚より前方に突出する前記枠体の側部に設けられたダクト接続口を覆う化粧板をルーバー裏面の両側端部に着脱自在に設けた請求項１または２記載のルーバー取り付け装置または請求項３記載の換気装置。
【発明の詳細な説明】
【技術分野】
【０００１】
本発明は、通風路を形成するルーバーを枠体開口部前方より取り付け固定するルーバー取り付け装置及びその装置を備えた換気装置に関する。
【背景技術】
【０００２】
近年、家庭用設備商品に対してデザイン性が要求され、換気装置も施工用ネジなどは外観に現れない事が望まれている。
【０００３】
従来、この種のルーバー取り付け装置及びその装置を備えた換気装置の一例として図４および図５に示すものが知られている。以下、その構成について図４および図５を参照しながら説明する。
【０００４】
図に示すように、調理時に発生する油煙や蒸気を排気するレンジフード１０１がその背面で壁１０２に固定されている。レンジフード１０１を運転すると、調理で発生した油煙や蒸気は室内の空気とともにレンジフード１０１の下部の開口部より吸引されて排気ダクト１０３を通り屋外へ排出される。このレンジフード１０１の天面上部に枠体１０４を配置し、この枠体１０４の上面に室外と連通する給気ダクト１０５を設け、枠体１０４の前面にレンジフード１０１上部のダクトを隠す化粧板の役割を果たす前面に開口を設けたルーバー１０６を設け、このルーバー１０６と枠体１０４により換気用チャンバー１０７を形成する。レンジフード１０１の運転により生じた室内外の圧力差により外気が導かれ、給気ダクト１０５を通り換気用チャンバー１０７内で等圧に分散され、ルーバー１０６の開口から室内へ供給される。
【０００５】
換気用チャンバー１０７は前面開口縁部に内部へ折曲した折曲片１０８を設けた枠体１０４と、枠体１０４の側面に通風路を接続する構造を隠して枠体１０４の表面を美しく見せるために機械的に固定される前部に款合用の爪１０９を有した化粧板１１０と、枠体１０４の前面開口に着脱自在に設けられるルーバー１０６とから構成している。さらにルーバー１０６裏面の両端には化粧板１１０の前部に設けられた爪１０９が挿入される穴１１１と、枠体１０４の前面開口縁部に内部へ折曲した折曲片１０８に対向する位置に係止片１１２を設け、係止片１１２は折曲片１０８の先端部が当接する案内部を備えて形成され、ルーバー１０６を下方から枠体１０４へ押しつけることにより、折曲片１０８の先端部が係止片１１２の案内部により案内され、折曲片１０８がルーバー１０６裏面との係止片１１２の間に挟持されて、ルーバー１０６が取り付けられる構成とされていた。
【０００６】
なお、従来の文献として上記技術思想とは少し異なるが、チャンバー及びルーバとそれを使用したレンジフードについて以下の参考文献がある。
【特許文献１】特開平１１−１７３６１７号公報
【発明の開示】
【発明が解決しようとする課題】
【０００７】
このような従来のルーバー取り付け装置及びその装置を備えた換気装置では、枠体１０４の折曲片１０８にルーバー１０６の係止片１１２を差し込みながら、ルーバー１０６裏面両端の穴１１１に枠体１０４の両側に取り付けられた化粧板１１０の前面の爪１０９を挿入するため、ルーバー１０６と枠体１０４及び化粧板１１０を同時に敢合することが困難で、ルーバー１０６と化粧板１１０の間に隙間を生じ、外観のデザインをそこなう課題およびルーバー１０６に化粧板１１０を敢合して枠体１０４へ固定すると化粧板１１０がレンジフード１０１や天井を傷つけるという課題があった。
【０００８】
本発明は上記課題を解決するものであり、枠体にルーバーを取り付け易い構造とし、取り付け時にルーバーと化粧板の間に隙間を生じない換気装置を提供することを目的とする。
【課題を解決するための手段】
【０００９】
本発明の換気装置においては、内部に通風路を有する枠体と、この枠体の前面開口に着脱自在に設けられるルーバーとを備え、前記枠体の前面開口縁部に内部へ折曲した折曲片と折曲片に対向する辺に引っ掛け固定機構を設けるとともに、前記ルーバーの裏面の前記折曲片に対向する位置に弾性材からなる係止片を設け、前記係止片は前記折曲片の先端部が当接する案内部と、この案内部に連続する頂部を備え、前記ルーバー裏面の枠体前面開口縁部の当接する箇所にパッキンを備えた構成としたものである。
【００１０】
この発明によれば、枠体の周囲に障害物があり横からの固定が困難な場合にルーバーを前方から前記枠体へ押しつけることにより、前記係止片が弾性変形するとともに、前記折曲片の先端部が係止片の案内部から頂部へ案内され、前記頂部を乗り越えると折曲片がルーバーの裏面と係止片の間に挟持されて、前記ルーバーが枠体に強固に簡単に取り付けられ、取り付け時に枠体や化粧板との間にすき間のないルーバー取り付け装置及びその装置を備えた換気装置を提供できる。
【発明の効果】
【００１１】
本発明によれば内部に通風路を有する枠体と、この枠体の前面開口に着脱自在に設けられるルーバーとを備え、枠体の前面開口縁部に内部へ折曲した折曲片を設けるとともに、ルーバーの裏面の折曲片に対向する位置に弾性材からなる係止片を設け、係止片は折曲片の先端部が当接する案内部と、この案内部に連続する頂部を設けたので、ルーバーを前方から枠体へ押しつけることにより、係止片が弾性変形するとともに、折曲片の先端部が係止片の案内部から頂部へ案内され、頂部を乗り越えると折曲片がルーバーの裏面と係止片の間に挟持されて、ルーバーが取り付けることができるため、ルーバーの外観を損なうことなく、取り付け場所を規制しないルーバー装置を提供できる。
【００１２】
また、ルーバー裏面の枠体前面開口縁部の当接する箇所にパッキンを設けたので、施工時にルーバーを押しつける時、係止片が弾性変形するためのストロークを与えると同時に、取り付け後の枠体とルーバーと気密性を上げることができ、枠体へのルーバーの取り付けを容易にし、空気の漏れを防ぐことができる。
【００１３】
また、ルーバー取り付け前にルーバー裏面に機械的に固定でき、長さ変更可能な化粧板を設けたので、排気ダクトおよび給気ダクトの設置方向が自由に選定でき、ルーバーと化粧板は確実に固定され、隙間を防止することが出来る。
【発明を実施するための最良の形態】
【００１４】
本発明の請求項１に記載の発明は、内部に通風路を有する枠体と、この枠体の前面開口に着脱自在に設けられるルーバーとを備え、前記枠体の前面開口縁部に内部へ折曲した折曲片と折曲片に対向する辺に引っ掛け固定機構を設けるとともに、前記ルーバーの裏面の前記折曲片に対向する位置に弾性材からなる係止片を設け、前記係止片は前記折曲片の先端部が当接する案内部と、この案内部に連続する頂部を備えた換気装置の構成としたものであり、ルーバーを前方から前記枠体へ押しつけることにより、前記係止片が弾性変形するとともに、前記折曲片の先端部が係止片の案内部から頂部へ案内され、前記頂部を乗り越えると折曲片がルーバーの裏面と係止片の間に挟持されて、前記ルーバーが簡単に取り付けられ、取り付け時に枠体や化粧板との間のすき間を防止できるという作用を有する。
【００１５】
以下、本発明の実施例について、図１〜図３を参照しながら説明する。
【００１６】
（実施の形態１）
図１に示すように、内部にファンモーターを備えて調理時の油煙や蒸気および下部に設置されるコンロの燃焼ガスを排気ダクト１より屋外へ排気するレンジフード２の天面上部に枠体３を配置し、この枠体３に接続される給気ダクト４を設け、枠体３と枠体３の前面に設置する開口を有したルーバー５とでチャンバー形状の換気装置を形成する。そしてこの換気装置は周囲を吊戸棚や壁、天井で囲まれており、換気装置の前面にのみ施工スペースが存在する。この換気装置は図２に示すように内部に通風路を有する枠体３と、この枠体３の前面開口に着脱自在に設けられるルーバー５とを備え、枠体３の前面開口縁部の上部に枠体３の天面から垂直に折曲した板状の折曲片６を設け、ルーバー下側には引っ掛け固定機構２０を設ける。この固定機構２０は枠体３下側面端部に設けた立ち上げ板２１と、枠体３下側面の引っかかり部を有した延設板２３と、ルーバ５下側端部の載置板２２と、立ち上げ板２１と載置板２２間に貼り付けられたパッキン材２４から構成され、延設板２３の引っかかり部に引っ掛けるように、且つ、パッキン材を少し圧縮した状態で載置板を延設板に載せる構造となっている。
【００１７】
また、ルーバー５が枠体３に固定される際に、ルーバー５裏面の折曲片６に対向する位置にステンレスの弾性材からなる板バネ構造の係止片７を設け、係止片７は折曲片６の先端部が当接するとともに枠体３の内部に向かって下方に傾斜した案内部８と、この案内部８に連続し案内部８の反対側が垂直になった頂部９を設け構成される。
【００１８】
そして、図２に示すように、ルーバー５裏面の枠体３前面開口縁部の当接する箇所にパッキン１０を貼り付け構成する。
【００１９】
さらに、図３に示すように、ルーバー５を枠体３へ取り付ける前にルーバー５裏面にネジ１１により機械的に固定でき、不要な場合は取り外し可能な化粧板１２を設け、この化粧板１２の中央近傍に上下方向にスリット１３を設け構成する。このスリット１３は一列または複数列の存在する。
【００２０】
上記構成において、ルーバー５を下側の固定機構に載置し、正面から枠体３へ押しつけることにより、ルーバー５に設けられた係止片７は枠体３の折曲片６により下方に押され弾性変形する。係止片７の弾性変形により折曲片６の先端部が係止片７の案内部８から頂部９へ案内され、頂部９を乗り越えると係止片７の弾性変形は開放されて折曲片６がルーバー５の裏面と係止片７の間に挟持されて、ルーバー５は枠体３に取り付けられる。
【００２１】
また、施工時に枠体３へルーバー５を押しつける時、パッキン１０の圧縮代は係止片７が弾性変形するためのストロークを与えると同時に、取り付け後の枠体３とルーバー５との気密性を上げることが出来る。
【００２２】
さらに、ルーバー５を枠体３に取り付ける前に、着脱自在で長さ変更可能な化粧板１２をルーバー５へ固定することにより、排気ダクト１および給気ダクト４の設置方向が自由に選定でき、ルーバー５と化粧板１２は確実に固定されるため、施工後にルーバー５と化粧板１２の間の隙間を防止できる。
【００２３】
このように、本発明の実施形態１の換気装置によれば、枠体３へルーバー５の裏面に取り付けた係止片７を前方から真っ直ぐに押しつけることにより取り付けることが出来るため、ネジで固定する場合のようにネジ頭がルーバーの表面に出てルーバーの外観を損なうことがなく、取り付け作業が簡単になり工数も抑えることができ、取り付け時に工具を使い難い場所でも取り付け容易で取り付け場所を規制しない換気装置を提供できる。
【００２４】
また、パッキン１０は弾性を有しているのでルーバー５の取り付けを容易にし、空気の漏れを防ぐことができる。
【００２５】
さらに、ルーバー５と化粧板１２がネジ１１で着脱自在なため、化粧板１２の固定側に給気ダクト４を接続する時は取り外し、接続しない時は取り付けて枠体２表面を覆うことができ、また、化粧板１２の固定側に排気ダクト１を接続する時はスリット１３の所で化粧板１２を切断することができるので、通風路の方向を上面、背面、側面と自由に選定することができ、ルーバー５と化粧板１２はネジ１１で確実に固定されているので外観の隙間を防ぐことができる。
【００２６】
なお、上記実施の形態では、係止部７をルーバ５裏面の上部に設け、ルーバ５の下部に固定機構２０を設け、上下で突っ張る状態でルーバ５を取り付け固定したが、ルーバ５下部の固定機構２０を止めて、ルーバ５下部裏面に上部同様の係止部７を設け（もちろん、この係止部に対応する折曲片も設け）、上と下の係止部７により上下に突っ張る状態でルーバ５を取り付け固定しても良い。このルーバ取り付け方法は前方から平行に押し当て取り付けができると共に、取り付けた後の上下にフレキシブル性があり、周囲が壁や天井や吊り戸棚などに囲まれた狭いスペースであっても、柔軟に取り付けできることとなる。
【産業上の利用可能性】
【００２７】
本発明の取り付け装置はルーバーやガラリの裏面に容易に取り付けることができ、床下換気や高所の換気装置の作業性の悪い場所の取り付けにも適用できる。
【図面の簡単な説明】
【００２８】
【図１】本発明の実施の形態１の換気装置をレンジフードに取り付けた状態を示す斜視図
【図２】同換気装置の概要を示す断面図
【図３】同換気装置に化粧板を取り付ける概要を示す斜視図
【図４】従来の換気装置をレンジフードに取り付けた状態を示す斜視図
【図５】従来の換気装置の概要を示す斜視図
【符号の説明】
【００２９】
３  枠体
５  ルーバー
６  折曲片
７  係止片
８  案内部
９  頂部
１０  パッキン
１２  化粧板
２０  固定機構
【図１】
2005090876.tif 000003
【図２】
2005090876.tif 000004
【図３】
2005090876.tif 000005
【図４】
2005090876.tif 000006
【図５】
2005090876.tif 000007